(57)【要約】【課題】農作物を畦土から掘り取り又は拾い上げて容器に回収する農作業機において、容器の取り付け取り外しを容易化し凹凸地を走行しても容器が落下しないようにし、不要時には容器台の占有するスペースを小さくすることができるようにする。【解決手段】畑を走行する走行機体に農作物を畦土から掘り取り又は拾い上げて後上方へ搬送する傾斜搬送コンべヤ２を設け、同傾斜搬送コンべヤ２の後方に農作物Ｐを搬送するコンべヤ６を設け、コンべヤ６の終端部に容器８を載置する容器台７を設け、同容器台７の片端部をコンべヤ６の終端部へ軸支して傾倒可能にし、同容器台７をおおよそ水平に付勢する付勢手段を設け、容器台７にはフック７ｄを立設させ、容器台７の下面とコンべヤ６の端部下方に取り付けた規制板７ｃとの間にスプリング７ｂを巻設した支持ステー７ａを介在し、容器台７とスプリング７ｂを巻設した支持ステー７ａを枢着分離自在にした。【選択図】図６
2004329043.tif 000002
【特許請求の範囲】
【請求項１】
畑を走行する走行機体に農作物を畦土から掘り取り又は拾い上げて後上方へ搬送する傾斜搬送コンべヤを設け、同傾斜搬送コンべヤの後方に農作物を搬送するコンべヤを設け、コンべヤの終端部に容器を載置する容器台を設け、同容器台の片端部をコンベヤの終端部のフレームへ軸支して傾倒可能にし、同容器台をおおよそ水平に付勢する付勢手段を設けた農作物収穫機において、容器の側面に開いた手掛け穴と同容器底辺部を利用して定置することを特長とした農作物収穫機の容器台。
【請求項２】
容器台と規制板と支持ステーとスプリングによって構成される付勢装置において、容器台と支持ステーを枢着分離自在にすることによって、不要時には容器台の占有するスペースを小さくできる請求項１記載の農作物収穫機の容器台。
【発明の詳細な説明】
【０００１】
【発明の属する技術分野】
本発明は、馬鈴薯，里芋，さつまいも，タマネギ，にんにく等の農作物を畦土から掘り取り又は拾い上げて収穫する農作物収穫機の技術に関する。
【０００２】
【従来の技術】
従来、農作物を畦土から掘り取り又は畦土から拾い上げて収穫する農作物収穫が開発されている。この農作物収穫機は、畑を走行する走行機体に前端部が畦土中に埋入する傾斜搬送コンべヤを後方に従って高くなるように設け、同傾斜搬送コンべヤの終端部に搬送した農作物を落下させて収容する容器を設けた構成が一般的である。
【０００３】
ところで、前記のような農作物収穫機により掘り取り又は拾い上げられた農作物を収容する容器は、パイプ等で構成された容器台の上に単純に定置する構造だったために、容器を載置したまま凹凸の激しい地面を走行すると、容器台より容器が落下してしまうという問題があった。またこの種の機械は比較的中型の大きさの分類に入る農作業機だったために、容器を定置する容器台の占有するスペースを小さくすることに対する配慮が欠け、いちいち運搬時や保管時等容器台そのものを取り外したりしていたから煩わしかった。更に、それらを紛失したりして、使用時に作業できない等の問題があった。
【０００４】
【発明が解決しようとする課題】
本発明が解決しようとする課題は、従来のこれらの問題点を解消し、容器を簡単にかつ確実に定置できる容器台を考案することによって、凹凸の激しい地面を走行しても容器台より容器が落下しないばかりか、運搬時や保管時等には簡単に容器台の占有するスペースを小さくする農作物収穫機の容器台を提供することにある。
【０００５】
【課題を解決するための手段】
かかる課題を解決した本発明の構成は、
１）畑を走行する走行機体に農作物を畦土から掘り取り又は拾い上げて後上方へ搬送する傾斜搬送コンべヤを設け、同傾斜搬送コンべヤの後方に農作物を搬送するコンべヤを設け、コンべヤの終端部に容器を載置する容器台を設け、同容器台の片端部をコンベヤの終端部のフレームへ軸支して傾倒可能にし、同容器台をおおよそ水平に付勢する付勢手段を設けた農作物収穫機において、容器の側面に開いた手掛け穴と同容器底辺部を利用して定置することを特長とした農作物収穫機の容器台
２）容器台と規制板と支持ステーとスプリングによって構成される付勢装置において、容器台と支持ステーを枢着分離自在にすることによって、不要時には容器台の占有するスペースを小さくできる前記１）記載の農作物収穫機の容器台
【０００６】
【作用】
本発明によれば、容器の側面に開いた手掛け穴と同容器底辺部を利用して容器台に定置するので、凹凸の激しい地面を走行しても容器台より容器が落下しない。また、運搬時や保管時等には容器台と支持ステーを枢着分離自在にすることによって、容器台の占有するスペースを小さくできる。
【０００７】
【発明の実施の形態】
コンべヤの終端部に容器を載置する容器台を設け、同容器台の片端部をコンべヤの終端部へ軸支して傾倒できるようにし、同容器台をおおよそ水平に付勢する付勢手段を設け、容器を前記容器台に開口がコンべヤ側へ向くように横倒しにして載置すると、同容器に農作物を収容しながらその自重で容器台を下方へ徐々に傾倒させることで農作物の容器までの落下高さを小さくして傷つけを防止できる。容器台はコンべヤのフレームへ軸支すると、コンべヤの傾斜角を調整しても容器台とコンべヤとの相対関係が保たれて安定した収容が可能となる。容器台には容器の手掛け穴の入るフックを設け、容器の手掛け穴と容器底辺部を利用して容器台に定置できるようにする。また、容器台と付勢手段とを枢着分離自在にすることによって、不要時には容器台の占有するスペースを小さくできる。付勢手段としては一般的にスプリングバネが用いられる。
【０００８】
【実施例】
以下、本発明の実施例を図面に基づいて具体的に説明する。
図１は実施例の容器台を搭載した農作物収穫機の側面図、
図２は実施例の容器台を搭載した農作物収穫機の平面図、
図３は実施例の容器台を搭載した農作物収穫機の背面図、
図４は実施例のコンベアの搬送面を省略した平面図、
図５は実施例のコンベアの部分拡大説明図、
図６（ａ）は実施例の容器台と容器を示した説明図、
図６（ｂ）は実施例の容器台と容器の定置を示した説明図、
図６（ｃ）は図６（ｂ）のＡ−Ａ断面図、
図７（ａ）は実施例の容器台を作業状態にした説明図、
図７（ｂ）は図７（ａ）のＢ−Ｂ断面図、
図７（ｃ）は実施例の容器台の占有するスペースを小さくした説明図、
図８（ａ）（ｂ）は実施例の農作物の収容を示す説明図、
図９は農作物の仕分けを示す説明図である。
【０００９】
図中、１は走行機体、１ａはエンジン部、１ｂは前輪、１ｃは後輪、１ｄはハンドル、１ｅは変速伝動部、１ｆは駆動チェーン、２は傾斜搬送コンべヤ、３は掻き込み羽根、４は第２搬送コンべヤ、４ａは持上体、５はシュート、６はコンべヤ、６ａはフレーム、６ｂは駆動スプロケット、６ｃは駆動軸、６ｅはピン、６ｆは従動スプロケット、６ｇは従動軸、６ｈは搬送スラット、６ｉはベベルケース、６ｊはスプロケット、６ｋは仕切板、６ｍは側板、６ｎはターンバックル、７は容器台、７ａは支持ステー、７ｂはスプリング、７ｃは規制板、７ｄはフック、７ｅは穴付きリベット、７ｆはスナップピン、８は容器、８ａは手掛け穴、Ｇは畦土、Ｐは農作物である。
【００１０】
本実施例の農作物収穫機は、図１〜３に示すように前部中央にエンジン部１ａを備えた走行機体１の前輪１ｂ、後輪１ｃ間に傾斜搬送コンべヤ２を後方に従って高くなるように所定角度で取り付け、同傾斜搬送コンべヤ２の前上方に左右へ回動可能なベルトプーリ取付腕に軸支したベルトプーリで回転させる掻き込み羽根３を前方が下向きとなるように取り付け、傾斜搬送コンべヤ２の後方に持上体４ａで農作物Ｐを持ち上げて後方に搬送する第２搬送コンべヤ４をおおよそ垂直に取り付け、同第２搬送コンべヤ４の後方にシュート５を取り付け、同シュート５の後端にコンべヤ６をターンバックル６ｎで傾斜可能に設け、コンべヤ６の終端部に容器８を載置する容器台７を設けている。
【００１１】
コンべヤ６は、図４、５に示すように長方形状に枠組みされたフレーム６ａの両端部に駆動スプロケット６ｂを軸着した駆動軸６ｃと従動スプロケット６ｆを軸着した従動軸６ｇをそれぞれ位置をずらして軸支し、隣接する各駆動スプロケット６ｂの対向面に複数のピン６ｅを突設してそれぞれが逆回転するように掛合し、駆動スプロケット６ｂと従動スプロケット６ｆの間にはしご状の搬送スラット６ｈを掛架し、駆動軸６ｃの軸端にベベルギヤを内包したべベルケース６ｉを介してスプロケット６ｊと連結して駆動チェーン１ｆに歯合し、各搬送スラット６ｈ間に所定高さのゴム板製の仕切板６ｋを搬送方向に沿って立設するともに後方のコンべヤ６の長手後方に農作物Ｐの落下を防止する側板６ｍを立設している。
【００１２】
容器台７は、図３、４、８（ａ）、（ｂ）に示すように外側辺をＬ字状に折曲した枠状の容器台７の内側辺をコンベヤ６の終端部のフレーム６ａに軸支し、容器台７の下面とコンべヤ６の端部下方に取り付けた規制板７ｃとの間にスプリング７ｂを巻設した支持ステー７ａを介在し、容器台７に載置した容器８の重みによりスプリング７ｂを規制板７ｃで規制しながら支持ステー７ａを通過させることで容器台７を傾倒可能に支持している。
【００１３】
容器台７には、図６（ａ）、（ｂ）、（ｃ）に示すように容器台７上面に向かってフック７ｄを立設させ、容器８側面の手掛け穴８ａをフック７ｄに挿入し、容器８をフック７ｄ及び容器台７のＬ字状に折曲した外側面にて取り付け取り外し自在に定置している。
【００１４】
容器台７は、図７（ａ）に示すように、作業時には容器台７の下面とコンべヤ６の端部下方に取り付けた規制板７ｃとの間にスプリング７ｂを巻設した支持ステー７ａを介在し、容器台７とスプリング７ｂを巻設した支持ステー７ａを穴付きリベット７ｅにより枢着させ、容器台７に載置した容器８の重みによりスプリング７ｂを規制板７ｃで規制しながら支持ステー７ａを通過させることで容器台７を傾倒可能に支持しているが、不要時には図７（ｃ）に示すように容器台７とスプリング７ｂを巻設した支持ステー７ａを枢着している穴付きリベット７ｅを取り外すことによって、容器台７はスプリング７ｂの作用を受けることなく、おおよそ垂直に定在する。なお、図７（ｂ）に示すように、穴付きリベット７ｅが不用意に外れないように、スナップピン７ｆを穴付きリベット７ｅの穴に差し込んでいる。
【００１５】
本実施例では、図３に示すように容器台７に容器８を開口がコンべヤ６側へ向けて横倒し状態に載置し、図１に示すように前輪１ｂと後輪１ｃを畑の畦土Ｇに配置してエンジン部１ａを始動させ、各部を作動させて畑を前進する。畦土Ｇ中の農作物Ｐは傾斜搬送コンべヤ２の前端の反転力で起こされるとともに掻き込み羽根３で中央部へ寄せられ、傾斜搬送コンべヤ２で後上方へ搬送して第２搬送コンべヤ４の持上体４ａで上方へ運び、シュート５からコンベア６の搬送面に落下する。
【００１６】
作業者はコンべヤ６のいずれか側面で走行機体１の走行とともに歩行しながら作業を行う。図９に示すように、搬送された農作物Ｐは一旦小さいコンべヤ６に落下し、大きさや状態、種類に応じて作業者が選別して仕分けし、前後に並設された大小のコンべヤ６にそれぞれ置き直すことで双方へ搬送され、両端部の容器８に別々に収容されていく。コンべヤ６はターンバックル６ｎを調整して後方へ若干傾斜させると、農作物Ｐが後側へ転動して仕分け作業が行い易くなる。
【００１７】
容器台７では、図８（ａ）、（ｂ）に示すようにコンべヤ６で搬送された農作物Ｐが横倒しの容器８に落下し、収容される農作物Ｐの自重で徐々に容器台７が下方へ傾倒する。この間、コンべヤ６の終端部から容器８までの落下高さは常時ほぼ一定の低い高さに保持され、農作物Ｐの落下による表面の傷付きやへこみ、割れ等の損傷が低減される。容器８内が所定量の農作物Ｐで満たさるとおおよそ水平になり、収穫が終了して取り外される。
【００１８】
本実施例はこのように構成したから、走行機体１を走行させて畦土Ｇの農作物Ｐを掘り取り拾い上げて後上方へ搬送し、同搬送された農作物Ｐを大小種類又は状態等に応じて所定のコンべヤ６の搬送面にそれぞれ人手で仕分けして置き、農作物Ｐが大小種類又は状態毎に定めた所定の容器８に収容するようにした農作物収穫機において、容器の取り付け取り外しを容易化し凹凸地を走行しても容器が落下しないようにし、不要時には容器台の占有するスペースを小さくすることができた。
【００１９】
【発明の効果】
以上説明したように、本発明によれば農作物を畦土から掘り取り又は拾い上げて容器に回収する農作業機において、容器の取り付け取り外しを容易化し凹凸地を走行しても容器が落下しないようにし、不要時には容器台の占有するスペースを小さくすることができる農作物収穫機を提供できる。
【図面の簡単な説明】
【図１】実施例の容器台を搭載した農作物収穫機の側面図である。
【図２】実施例の容器台を搭載した農作物収穫機の平面図である。
【図３】実施例の容器台を搭載した農作物収穫機の背面図である。
【図４】実施例のコンベアの搬送面を省略した平面図である。
【図５】実施例のコンベアの部分拡大説明図である。
【図６】（ａ）実施例の容器台と容器を示した説明図である。
（ｂ）実施例の容器台と容器の定置を示した説明図である。
（ｃ）図６（ｂ）のＡ−Ａ断面図である。
【図７】（ａ）実施例の容器台を作業状態にした説明図である。
（ｂ）図７（ａ）のＢ−Ｂ断面図である。
（ｃ）実施例の容器台の占有するスペースを小さくした説明図である。
【図８】実施例の農作物の収容を示す説明図である。
【図９】農作物の仕分けを示す説明図である。
【符号の説明】
１  走行機体
１ａ  エンジン部
１ｂ  前輪
１ｃ  後輪
１ｄ  ハンドル
１ｅ  変速伝動部
１ｆ  駆動チェーン
２  傾斜搬送コンべヤ
３  掻き込み羽根
４  第２搬送コンべヤ
４ａ  持上体
５  シュート
６  コンベヤ
６ａ  フレーム
６ｂ  駆動スプロケット
６ｃ  駆動軸
６ｅ  ピン
６ｆ  従動スプロケット
６ｇ  従動軸
６ｈ  搬送スラット
６ｉ  ベベルケース
６ｊ  スプロケット
６ｋ  仕切板
６ｍ  側板
６ｎ  ターンバックル
７  容器台
７ａ  支持ステー
７ｂ  スプリング
７ｃ  規制板
７ｄ  フック
７ｅ  穴付きリベット
７ｆ  スナップピン
８  容器
８ａ  手掛け穴
Ｇ  畦土
Ｐ  農作物
【図１】
2004329043.tif 000003
【図２】
2004329043.tif 000004
【図３】
2004329043.tif 000005
【図４】
2004329043.tif 000006
【図５】
2004329043.tif 000007
【図６】
2004329043.tif 000008
【図７】
2004329043.tif 000009
【図８】
2004329043.tif 000010
【図９】
2004329043.tif 000011